(57)【特許請求の範囲】
【請求項１】
化粧材と、木質基材と、クッション材とを有する直貼り防音フロアーである既存床材の上に、化粧材と、木質基材と、発泡樹脂または不織布を用いたクッション材とを有する直貼り防音フロアーである新たな床材を上貼りするに際し、既存床材と新たな床材との間に床下地材を介在させることを特徴とするリフォーム用の木質床材構造。
【請求項２】
新たな床材がＬＬ−４５以上の防音性能を有する床材であることを特徴とする請求項１に記載のリフォーム用の木質床材構造。
【請求項３】
床下地材が少なくともビスを用いて既存床材に貼り付けられることを特徴とする請求項１または請求項２に記載のリフォーム用の木質床材構造。
【請求項４】
既存床材および新たな床材の長手方向と床下地材の長手方向とが直交するように既存床材、床下地材および新たな床材を貼り付けることを特徴とする請求項１から請求項３のいずれかに記載のリフォーム用の木質床材構造。
【請求項５】
隣り合う床下地材同士は、本実または雇実を用いて実嵌合されていることを特徴とする請求項１から請求項４のいずれかに記載のリフォーム用の木質床材構造。
【請求項６】
既存床材と新たな床材との間に、さらに厚み調整材を介在させることを特徴とする請求項１から請求項５のいずれかに記載のリフォーム用の木質床材構造。
【発明の詳細な説明】
【技術分野】
【０００１】
本発明は、建築物のリフォーム用の木質床材構造に係り、特にマンション等における直貼りフロアーのリフォーム時に好適な木質床材構造に関する。
【背景技術】
【０００２】
一般住宅において、内装の床面をリフォームする場合、既存の床材等を除去した後に新たに床材等を貼り替える方法、および既存の床材の上に新たな床材等を上貼りする方法の２通りの方法が挙げられる。
【０００３】
前者の方法では、既存の床材の撤去作業に多くの手間と時間がかかる上に、撤去作業に伴う廃材が大量に発生するという問題が生じるのに対して、後者の方法では、これらの問題が解消できる利点がある。
【０００４】
特許文献１には、既存の床材の上に新たな床材をステープル等の釘類により固定する木質床材、その製造方法および床材施工方法が開示されている。
【先行技術文献】
【特許文献】
【０００５】
【特許文献１】特開２００２−１５５６１７
【発明の概要】
【発明が解決しようとする課題】
【０００６】
特許文献１に開示された木質床材は、接着剤または両面テープにより接着された上板材および下板材からなる特殊な形状の床材であり、下板材側がステープル等の釘類により既存床材に固定されるものである。
【０００７】
上記の方法は、既存床材への上貼り専用に考え出されたものであるため、通常の床材とは異なる施工技術の習得を要する。さらに、木質床材自体も特殊な薄い形状のものであるため、加工が非常に難しいという問題がある。そのため、通常の床材をそのまま上貼りに使用する方法に対する要求がある。
【０００８】
また、従来の一般住宅はバリアフリーが意識されていないため、段差が多いという問題があり、リフォームの際にフロアーをバリアフリー化したいというニーズも需要者の間に多い。
【０００９】
そこで、本発明は、通常の木質床材をそのまま上貼りでき、かつ床の高さを調整することにより段差のあるマンション等のバリアフリー化が容易なリフォーム用の木質床材構造を提案することを目的とする。
【課題を解決するための手段】
【００１０】
本発明者は、通常の直貼りフロアーを上貼りする方法につき検討し、鋭意研究を行った結果、以下の知見を得るに至った。
【００１１】
（Ａ）マンションにおける通常の直貼りフロアー等の木質床材には防音性能を付与させるため、木質基材の裏面に発泡樹脂または不織布より成るクッション材が貼付されている。そのため、クッション性を有する既存床材の上にさらにクッション性を有する新たな床材を上貼りすると、歩行感が悪化する。また、長期間使用するうちに、不陸や段違いの問題が生じる。
【００１２】
（Ｂ）既存の床材と新たな床材との間に床下地材を介することによって、床の面剛性が強化されるため、クッション性を有する既存床材にクッション性を有する新たな床材を上貼りした時の歩行感が向上する。
【００１３】
（Ｃ）床下地材の下にさらに厚み調整材を必要に応じて介することによって、床の高さを調整することが可能となり、段差のあるマンション等を容易にバリアフリー化することができる。
【００１４】
本発明は、このような知見に基づいてなされたものであり、下記の（１）〜（６）に示すリフォーム用の木質床材構造を要旨とする。
【００１５】
（１）化粧材と、木質基材と、クッション材とを有する直貼り防音フロアーである既存床材の上に、化粧材と、木質基材と、発泡樹脂または不織布を用いたクッション材とを有する直貼り防音フロアーである新たな床材を上貼りするに際し、既存床材と新たな床材との間に床下地材を介在させることを特徴とするリフォーム用の木質床材構造。
【００１６】
（２）新たな床材がＬＬ−４５以上の防音性能を有する床材であることを特徴とする前記（１）に記載のリフォーム用の木質床材構造。
【００１７】
（３）床下地材が少なくともビスを用いて既存床材に貼り付けられることを特徴とする前記（１）または（２）に記載のリフォーム用の木質床材構造。
【００１８】
（４）既存床材および新たな床材の長手方向と床下地材の長手方向とが直交するように既存床材、床下地材および新たな床材を貼り付けることを特徴とする前記（１）から（３）のいずれかに記載のリフォーム用の木質床材構造。
【００１９】
（５）隣り合う床下地材同士は、本実または雇実を用いて実嵌合されていることを特徴とする前記（１）から（４）のいずれかに記載のリフォーム用の木質床材構造。
【００２０】
（６）既存床材と新たな床材との間に、さらに厚み調整材を介在させることを特徴とする前記（１）から（５）のいずれかに記載のリフォーム用の木質床材構造。
【発明の効果】
【００２１】
本発明によれば、歩行感が良好であり、かつ不陸または段違いの問題も生じにくい床材構造を得ることができる。本発明の木質床材構造を一般住宅の床面に施工すれば、既存床材の撤去作業の必要がないため工期を短縮でき、廃材の発生を軽減できる。さらに床の高さを調整することが可能なため、段差のあるマンション等のバリアフリー化が容易である。したがって、本発明の木質床材構造は、マンション等のリフォーム時に最適である。
【図面の簡単な説明】
【００２２】
【図１】本発明の木質床材構造による施工途中の状態の一例を示す斜視図である。
【図２】本発明の木質床材構造による施工途中の状態の他の例を示す斜視図である。
【発明を実施するための形態】
【００２３】
図１は、本発明の木質床材構造による施工途中の状態の一例を示す斜視図である。本発明の木質床材構造には、既存床材１、床下地材２および新たな床材３が含まれる。各構成要素について、以下に詳細を示す。
【００２４】
本発明の木質床材構造を施工する既存床材１については特に制限はないが、好適な既存床材として例えば、化粧材、木質基材およびクッション材から成る直貼り防音フロアー（軽量床衝撃音でＬＬ−６０またはそれより性能が優れるもの、すなわち、ＬＬ−６０以上の防音性能を有するもの等）、またはクッションフロアー等のプラスチック系シート床材等のクッション性を有する床材が挙げられる。
【００２５】
既存床材１と後述の新たな床材３との間に床下地材２を介在させることによって、床の面剛性を強化し歩行感を向上させることができる。
【００２６】
床下地材の材質については特に制限はないが、例えば、ポリプロピレン等の樹脂製、または合板、木質繊維材、集成材等の木製のものを用いることができる。
【００２７】
床下地材の厚さについては特に制限はないが、市販の合板を用いる場合、例えば、５．５ｍｍ、９ｍｍ、１２ｍｍのものを用いることができる。また、大きさについても、小さすぎると面剛性が小さくなり、大きすぎると施工がしにくくなることを考慮して適切な大きさのものを選択すれば良い。例えば、巾３０３ｍｍ、長さ１８１８ｍｍ（１尺×６尺）のものを用いるのが好ましい。
【００２８】
隣り合う床下地材同士は、実嵌合することが好ましい。実嵌合は、隣り合う床下地材同士の接触面を実加工凸部および実加工凹部とし、凸部を凹部に差し込んで両者を接合する本実を用いても、または双方とも実加工凹部とし、凹部に細い板を差し込んで両者を接合する雇実を用いても良い。
【００２９】
また、既存床に不陸がある場合は、床下地材が床に馴染みやすいように、裏面に溝を設けても良い。
【００３０】
既存床材１への貼り付けは、接着剤、両面テープ、ビス、ステープルまたはこれらの組み合わせにより適宜行うことができる。施工するに際し、既存床材１の長手方向と床下地材２の長手方向とが直交するように貼ることが不陸または段違い防止の観点から好ましい。
【００３１】
新たな床材３については特に制限はなく、一般的な木質基材の床材を用いることができる。新たな床材はクッション性を有することが好ましい。クッション性を有する床材としては、化粧材、木質基材およびクッション材が複合された直貼りフロアーや、クッションフロアーのように樹脂単体で構成されるプラスチック系シート床材が挙げられる。
【００３２】
直貼りフロアーに用いられる化粧材としては、突板、樹脂シート、樹脂含浸紙、印刷紙等が例示できる。また、木質基材としては、合板、木質繊維材、無垢材、集成材、またはこれらの組み合わせを適宜使用できる。クッション材としては、例えば、発泡樹脂または不織布を用いることができる。
【００３３】
また、新たな床材は防音性能を有することが好ましい。防音性能を有するとは、軽量床衝撃音でＬＬ−６０以上であることを意味する。好ましい防音性能はＬＬ−５０以上であり、より好ましい防音性能はＬＬ−４５以上であり、さらに好ましい防音性能はＬＬ−４０以上である。
【００３４】
床下地材２への上貼りは、接着剤または両面テープにより行うことができる。施工するに際し、床下地材２の長手方向と新たな床材３の長手方向とが直交するように貼ることが不陸または段違い防止の観点から好ましい。
【００３５】
図２は、本発明の木質床材構造による施工途中の状態の他の例を示す斜視図である。この例では厚み調整材４が用いられる。厚み調整材４は、床下地材２と組み合わせることによって床の厚さを調整することができるため、必要に応じて用いることができる。厚み調整材４は、既存床１と床下地材２との間に挿入しても、床下地材２と新たな床材３の間に挿入しても良い。
【００３６】
厚み調整材の材質については特に制約はないが、ポリプロピレン等の樹脂製板材、合板、木質繊維材、集成材等の木製板材、またはアスファルトおよび樹脂を組み合わせた高比重シート等が例示できる。その中でも、特に高比重シートは、重量があるため既存床材に馴染みやすく安定するため好ましい。
【００３７】
厚み調整材は、必要に応じて例えば、厚さ５〜２０ｍｍ、巾９１０ｍｍ、長さ１８２０ｍｍ（３尺×６尺）のものを用いることができる。
【００３８】
既存床材１または床下地材２への貼り付けは、接着剤、両面テープ、ビス、ステープルまたはこれらの組み合わせにより適宜行うことができる。
【００３９】
厚み調整材４を用いる場合は、施工するに際し、既存床材１および新たな床材３の長手方向と床下地材２または厚み調整材４の長手方向とが直交するように既存床材１、床下地材２、厚み調整材４および新たな床材３を貼り付けることが不陸または段違い防止の観点から好ましい。
【産業上の利用可能性】
【００４０】
本発明によれば、歩行感が良好であり、かつ不陸または段違いの問題も生じにくい床材構造を得ることができる。本発明の木質床材構造を一般住宅の床面に施工すれば、既存床材の撤去作業の必要がないため工期を短縮でき、廃材の発生を軽減できる。さらに床の高さを調整することが可能なため、段差のあるマンション等のバリアフリー化が容易である。したがって、本発明の木質床材構造は、マンション等のリフォーム時に最適である。
【符号の説明】
【００４１】
１．既存床材
２．床下地材
３．新たな床材
４．厚み調整材
５．コンクリートスラブ
【図１】
0005742046.tif 000002
【図２】
0005742046.tif 000003